(57)【要約】      （修正有）【課題】複数の冷凍・冷蔵機器について、庫内温度が所定の庫内温度よりも上昇した、等の事態に適切に対応できる冷蔵庫・冷凍庫デジタル監視・警報システムを提供する。【解決手段】店舗内の複数の冷凍・冷蔵機器のドアの開状態、閉状態及び内部温度の変動を監視し、開状態の継続時間の長さ、閉状態の継続時間の長さ、前記冷凍・冷蔵機器の内部温度の変動がどのような状況の下で発生しているかに応じて、前記冷凍・冷蔵機器それぞれの周辺で作業を行っている者に対する警報発報、管理者、前記冷凍・冷蔵機器の取り扱い担当者、前記店舗のセキュリティを担当しているセキュリティ会社、前記冷凍・冷蔵機器の保守等を行う保守・冷熱機器会社などへ警報情報が通知される冷蔵庫・冷凍庫デジタル監視・警報システム。【選択図】図１
2020125897.tif 000002
【特許請求の範囲】
【請求項１】
監視対象の複数の冷凍・冷蔵機器それぞれのドア部に配備されていて、前記ドア部が開放されている状態あるいは前記ドア部が閉鎖されている状態にあることを検知する複数のドア開閉状態検知手段と、
複数の前記冷凍・冷蔵機器の内部にそれぞれ配備されていて複数の前記冷凍・冷蔵機器の内部の温度をそれぞれ検知している複数の庫内温度計測手段と、
複数の前記ドア開閉状態検知手段の中の特定の一つの前記ドア開閉状態検知手段から取得した情報及び、複数の前記庫内温度計測手段の中の特定の一つの前記庫内温度計測手段から取得した庫内温度情報に基づいて、前記特定の一つの前記ドア開閉状態検知手段及び前記特定の一つの前記庫内温度計測手段が配備されている前記冷凍・冷蔵機器を監視することで、複数の前記冷凍・冷蔵機器を監視する監視装置と
を備えている冷蔵庫・冷凍庫デジタル監視・警報システムであって、
前記監視装置は、
前記ドア部が閉鎖されている状態から開放された状態になったことを知らせるドア開放情報を前記ドア開閉状態検知手段から取得した時点からの開状態経過時間を計測するとともに、前記ドア部が開放されている状態から閉鎖された状態になったことを知らせるドア閉鎖情報を前記ドア開閉状態検知手段から取得した時点からの閉状態経過時間を計測する時間計測手段と、
前記庫内温度計測手段から取得した庫内温度情報に基づいて前記冷凍・冷蔵機器の内部温度を監視する庫内温度監視手段と、
警報対応手段とを備えており、
前記警報対応手段には、
前記時間計測手段によって計測されている前記開状態経過時間が、前記ドア開放情報を通知してきた特定の一つの前記ドア開閉状態検知手段が配備されている前記冷凍・冷蔵機器に対してあらかじめ定められている所定の時間に到達した際に、前記冷凍・冷蔵機器に対してあらかじめ設定されている対応マニュアルに従って指定されている第一の警報対応を行う第一の警報対応手段と、
前記庫内温度監視手段が監視している、前記ドア開放情報を取得した時点以降の前記ドア開放情報を通知してきた特定の一つの前記ドア開閉状態検知手段が配備されている前記冷凍・冷蔵機器の内部温度の上昇が、前記ドア開放情報を取得した後であって次の前記ドア閉鎖情報を取得する前に、前記ドア開放情報を通知してきた特定の一つの前記ドア開閉状態検知手段が配備されている前記冷凍・冷蔵機器に対してあらかじめ定められている所定の温度までの上昇であるときに、前記冷凍・冷蔵機器に対してあらかじめ設定されている対応マニュアルに従って指定されている第二の警報対応を行う第二の警報対応手段と、
前記庫内温度監視手段が監視している、前記ドア閉鎖情報を取得した時点以降の前記ドア閉鎖情報を通知してきた特定の一つの前記ドア開閉状態検知手段が配備されている前記冷凍・冷蔵機器の内部温度が、前記ドア閉鎖情報を通知してきた特定の一つの前記ドア開閉状態検知手段が配備されている前記冷凍・冷蔵機器に対してあらかじめ設定されている所定の時間を経過しても、前記ドア閉鎖情報を通知してきた特定の一つの前記ドア開閉状態検知手段が配備されている前記冷凍・冷蔵機器に対してあらかじめ設定されている所定の内部温度に到達しないときに、前記ドア閉鎖情報を通知してきた特定の一つの前記ドア開閉状態検知手段が配備されている前記冷凍・冷蔵機器に対してあらかじめ設定されている対応マニュアルに従って指定されている第三の警報対応を行う第三の警報対応手段と、
前記庫内温度監視手段が監視している、前記ドア閉鎖情報を取得した時点以降の前記ドア閉鎖情報を通知してきた特定の一つの前記ドア開閉状態検知手段が配備されている前記冷凍・冷蔵機器の内部温度が、次の前記ドア開放情報を取得する前であって、前記ドア閉鎖情報を通知してきた特定の一つの前記ドア開閉状態検知手段が配備されている前記冷凍・冷蔵機器に対してあらかじめ設定されている所定の時間を経過した後、前記冷凍・冷蔵機器に対してあらかじめ設定されている所定の内部温度にまで到達したときに、前記ドア閉鎖情報を通知してきた特定の一つの前記ドア開閉状態検知手段が配備されている前記冷凍・冷蔵機器に対してあらかじめ設定されている対応マニュアルに従って指定されている第四の警報対応を行う第四の警報対応手段と
が含まれている冷蔵庫・冷凍庫デジタル監視・警報システム。
【請求項２】
前記第一の警報対応手段による第一の警報対応は、冷蔵庫警告ランプの点灯及び冷蔵庫警報ブザーの発報が第一段階として行われ、当該第一段階後に開状態が引き続き所定の時間継続したときに冷蔵庫警告ランプの点灯及び冷蔵庫警報ブザーの発報及び、店舗管理部及び前記冷凍・冷蔵機器取り扱い担当者への情報提供が第二段階として行われ、当該第二段階後に開状態が引き続き所定の時間継続したときに冷蔵庫警告ランプの点灯及び冷蔵庫警報ブザーの発報及び、店舗管理部及び前記冷凍・冷蔵機器取り扱い担当者への情報提供と、セキュリティ会社への情報提供が第三段階として行われる請求項１記載の冷蔵庫・冷凍庫デジタル監視・警報システム。
【請求項３】
前記警報対応手段は、前記複数の冷凍・冷蔵機器が配備、使用されている店舗のあらかじめ設定されている閉店時間の前における所定の時間内において、前記ドア開閉状態検知手段から取得したドア部が開放されていることを伝える情報が解除されていない場合に、警報情報を発する機能を、更に、備えている
請求項１又は２記載の冷蔵庫・冷凍庫デジタル監視・警報システム。
【請求項４】
前記監視装置は、複数の前記冷凍・冷蔵機器が配備、使用されている店舗が閉店後で無人になる際に当該店舗の警備を実行するセキュリティシステムが作動開始すべくセキュリティセットされたことを知らせるセキュリティセット情報を取得するセキュリティセット情報取得部を更に備えており、
前記警報対応手段は、前記セキュリティセット情報を取得した際に、前記ドア開閉状態検知手段から取得したドア部が開放されていることを伝える情報が解除されていない場合に、警報情報を発する機能を、更に、備えている
請求項１乃至３のいずれか一項に記載の冷蔵庫・冷凍庫デジタル監視・警報システム。
【請求項５】
前記監視装置が監視している複数の前記冷凍・冷蔵機器のそれぞれには、前記冷凍・冷蔵機器それぞれの前記ドア部を開けて作業を行う作業員が所持している作業員端末との間で情報交信を行って、前記作業員端末が前記冷凍・冷蔵機器それぞれから所定の範囲内に存在しているか否かを把握し、前記端作業員端末の位置が前記所定の範囲の外側になったことを知らせる作業員位置情報を、前記作業員端末を識別する情報と共に、前記監視装置へ無線あるいは、有線で送出する作業員端末認識手段が配備されており、
前記監視装置は、前記作業員端末認識手段から送出されてきた前記作業員位置情報を取得した際に、前記ドア開閉状態検知手段から取得したドア部が開放されていることを伝える情報が解除されていない場合に、警報情報を発する機能を、更に、備えている
請求項１乃至４のいずれか一項に記載の冷蔵庫・冷凍庫デジタル監視・警報システム。
【発明の詳細な説明】
【技術分野】
【０００１】
この発明は、冷蔵庫、冷凍庫などの冷凍・冷蔵機器を監視するシステムに関する。特に、複数の冷凍・冷蔵機器それぞれのドアの開状態、閉状態及び内部温度の変動を監視し、開状態の継続時間の長さ、閉状態の継続時間の長さ、冷凍・冷蔵機器の内部温度の変動がどのような状況の下で発生しているかに応じて、冷凍・冷蔵機器ごとに、冷凍・冷蔵機器周辺で作業を行っている者に対する警報発報、冷凍・冷蔵機器が配備されている店舗の管理者、冷凍・冷蔵機器が配備されている店舗における冷凍・冷蔵機器取り扱い担当者、冷凍・冷蔵機器が配備されている店舗のセキュリティを担当しているセキュリティ会社、店舗に配備されている冷凍・冷蔵機器の保守等を行う保守・冷熱機器会社などへ警報情報が通知される冷蔵庫・冷凍庫デジタル監視・警報システムに関する。
【背景技術】
【０００２】
冷蔵庫、冷凍庫などの冷凍・冷蔵機器を監視するシステム、等に関しては従来から種々の提案が行われている。
【０００３】
例えば、特許文献１には、ストッカの納品庫の扉を解錠制御して扉の開放が検知されると、扉の開放時間の計測を開始し、所定の開放時間以上に亘って扉の開放が検知され続けている場合に、扉の開放状態が継続している旨の通知をストッカ管理装置に送信することで、扉が開放されたままとなっている事態に適切に対応することが可能となるとするストッカが提案されている。
【０００４】
特許文献２には、冷蔵庫への収納品の収納中又は冷蔵庫からの収納品の取り出し中にはアラームが鳴らず、扉が閉め忘れられた状態にあるときにアラームが鳴る冷蔵庫が提案されている。冷蔵庫の扉の開状態が一定時間以上継続した場合に、人感センサを用いて冷蔵庫前の人の有無を判定し、冷蔵庫前に人がいないときにのみアラームを鳴らす構成になっている。
【先行技術文献】
【特許文献】
【０００５】
【特許文献１】特開２０１８−３６９４８号公報
【特許文献２】国際公開公報第２０１７／１４５３８７号
【発明の概要】
【発明が解決しようとする課題】
【０００６】
この発明は、複数の冷凍・冷蔵機器それぞれのドアの開状態、閉状態及び内部温度の変動を監視し、開状態の継続時間の長さ、閉状態の継続時間の長さ、冷凍・冷蔵機器の内部温度の変動がどのような状況の下で発生しているかに応じて、冷凍・冷蔵機器ごとに、冷凍・冷蔵機器周辺で作業を行っている者に対する警報発報、冷凍・冷蔵機器が配備されている店舗の管理者、冷凍・冷蔵機器が配備されている店舗における冷凍・冷蔵機器取り扱い担当者、冷凍・冷蔵機器が配備されている店舗のセキュリティを担当しているセキュリティ会社、店舗に配備されている冷凍・冷蔵機器の保守等を行う保守・冷熱機器会社などへ警報情報が通知される冷蔵庫・冷凍庫監視・警報システムを提供することを目的にしている。
【課題を解決するための手段】
【０００７】
［１］
監視対象の複数の冷凍・冷蔵機器それぞれのドア部に配備されていて、前記ドア部が開放されている状態あるいは前記ドア部が閉鎖されている状態にあることを検知する複数のドア開閉状態検知手段と、
複数の前記冷凍・冷蔵機器の内部にそれぞれ配備されていて複数の前記冷凍・冷蔵機器の内部の温度をそれぞれ検知している複数の庫内温度計測手段と、
複数の前記ドア開閉状態検知手段の中の特定の一つの前記ドア開閉状態検知手段から取得した情報及び、複数の前記庫内温度計測手段の中の特定の一つの前記庫内温度計測手段から取得した庫内温度情報に基づいて、前記特定の一つの前記ドア開閉状態検知手段及び前記特定の一つの前記庫内温度計測手段が配備されている前記冷凍・冷蔵機器を監視することで、複数の前記冷凍・冷蔵機器を監視する監視装置と
を備えている冷蔵庫・冷凍庫監視・警報システムであって、
前記監視装置は、
前記ドア部が閉鎖されている状態から開放された状態になったことを知らせるドア開放情報を前記ドア開閉状態検知手段から取得した時点からの開状態経過時間を計測するとともに、前記ドア部が開放されている状態から閉鎖された状態になったことを知らせるドア閉鎖情報を前記ドア開閉状態検知手段から取得した時点からの閉状態経過時間を計測する時間計測手段と、
前記庫内温度計測手段から取得した庫内温度情報に基づいて前記冷凍・冷蔵機器の内部温度を監視する庫内温度監視手段と、
警報対応手段とを備えており、
前記警報対応手段には、
前記時間計測手段によって計測されている前記開状態経過時間が、前記ドア開放情報を通知してきた特定の一つの前記ドア開閉状態検知手段が配備されている前記冷凍・冷蔵機器に対してあらかじめ定められている所定の時間に到達した際に、前記冷凍・冷蔵機器に対してあらかじめ設定されている対応マニュアルに従って指定されている第一の警報対応を行う第一の警報対応手段と、
前記庫内温度監視手段が監視している、前記ドア開放情報を取得した時点以降の前記ドア開放情報を通知してきた特定の一つの前記ドア開閉状態検知手段が配備されている前記冷凍・冷蔵機器の内部温度の上昇が、前記ドア開放情報を取得した後であって次の前記ドア閉鎖情報を取得する前に、前記ドア開放情報を通知してきた特定の一つの前記ドア開閉状態検知手段が配備されている前記冷凍・冷蔵機器に対してあらかじめ定められている所定の温度までの上昇であるときに、前記冷凍・冷蔵機器に対してあらかじめ設定されている対応マニュアルに従って指定されている第二の警報対応を行う第二の警報対応手段と、
前記庫内温度監視手段が監視している、前記ドア閉鎖情報を取得した時点以降の前記ドア閉鎖情報を通知してきた特定の一つの前記ドア開閉状態検知手段が配備されている前記冷凍・冷蔵機器の内部温度が、前記ドア閉鎖情報を通知してきた特定の一つの前記ドア開閉状態検知手段が配備されている前記冷凍・冷蔵機器に対してあらかじめ設定されている所定の時間を経過しても、前記ドア閉鎖情報を通知してきた特定の一つの前記ドア開閉状態検知手段が配備されている前記冷凍・冷蔵機器に対してあらかじめ設定されている所定の内部温度に到達しないときに、前記ドア閉鎖情報を通知してきた特定の一つの前記ドア開閉状態検知手段が配備されている前記冷凍・冷蔵機器に対してあらかじめ設定されている対応マニュアルに従って指定されている第三の警報対応を行う第三の警報対応手段と、
前記庫内温度監視手段が監視している、前記ドア閉鎖情報を取得した時点以降の前記ドア閉鎖情報を通知してきた特定の一つの前記ドア開閉状態検知手段が配備されている前記冷凍・冷蔵機器の内部温度が、次の前記ドア開放情報を取得する前であって、前記ドア閉鎖情報を通知してきた特定の一つの前記ドア開閉状態検知手段が配備されている前記冷凍・冷蔵機器に対してあらかじめ設定されている所定の時間を経過した後、前記冷凍・冷蔵機器に対してあらかじめ設定されている所定の内部温度にまで到達したときに、前記ドア閉鎖情報を通知してきた特定の一つの前記ドア開閉状態検知手段が配備されている前記冷凍・冷蔵機器に対してあらかじめ設定されている対応マニュアルに従って指定されている第四の警報対応を行う第四の警報対応手段
とが含まれている冷蔵庫・冷凍庫デジタル監視・警報システム。
【０００８】
［２］
前記第一の警報対応手段による第一の警報対応は、冷蔵庫警告ランプの点灯及び冷蔵庫警報ブザーの発報が第一段階として行われ、当該第一段階後に開状態が引き続き所定の時間継続したときに冷蔵庫警告ランプの点灯及び冷蔵庫警報ブザーの発報及び、店舗管理部及び前記冷凍・冷蔵機器取り扱い担当者への情報提供が第二段階として行われ、当該第二段階後に開状態が引き続き所定の時間継続したときに冷蔵庫警告ランプの点灯及び冷蔵庫警報ブザーの発報及び、店舗管理部及び前記冷凍・冷蔵機器取り扱い担当者への情報提供と、セキュリティ会社への情報提供が第三段階として行われる［１］の冷蔵庫・冷凍庫デジタル監視・警報システム。
【０００９】
［３］
前記警報対応手段は、前記複数の冷凍・冷蔵機器が配備、使用されている店舗のあらかじめ設定されている閉店時間の前における所定の時間内において、前記ドア開閉状態検知手段から取得したドア部が開放されていることを伝える情報が解除されていない場合に、警報情報を発する機能を、更に、備えている［１］又は［２］の冷蔵庫・冷凍庫デジタル監視・警報システム。
【００１０】
［４］
前記監視装置は、複数の前記冷凍・冷蔵機器が配備、使用されている店舗が閉店後で無人になる際に当該店舗の警備を実行するセキュリティシステムが作動開始すべくセキュリティセットされたことを知らせるセキュリティセット情報を取得するセキュリティセット情報取得部を更に備えており、
前記警報対応手段は、前記セキュリティセット情報を取得した際に、前記ドア開閉状態検知手段から取得したドア部が開放されていることを伝える情報が解除されていない場合に、警報情報を発する機能を、更に、備えている［１］乃至［３］のいずれかの冷蔵庫・冷凍庫デジタル監視・警報システム。
【００１１】
［５］
前記監視装置が監視している複数の前記冷凍・冷蔵機器のそれぞれには、前記冷凍・冷蔵機器それぞれの前記ドア部を開けて作業を行う作業員が所持している作業員端末との間で情報交信を行って、前記作業員端末が前記冷凍・冷蔵機器それぞれから所定の範囲内に存在しているか否かを把握し、前記端作業員端末の位置が前記所定の範囲の外側になったことを知らせる作業員位置情報を、前記作業員端末を識別する情報と共に、前記監視装置へ無線あるいは、有線で送出する作業員端末認識手段が配備されており、
前記監視装置は、前記作業員端末認識手段から送出されてきた前記作業員位置情報を取得した際に、前記ドア開閉状態検知手段から取得したドア部が開放されていることを伝える情報が解除されていない場合に、警報情報を発する機能を、更に、備えている［１］乃至［４］のいずれかの冷蔵庫・冷凍庫デジタル監視・警報システム。
【００１２】
上述したように、複数の冷凍・冷蔵機器それぞれのドアの開状態、閉状態及び内部温度の変動を監視し、開状態の継続時間の長さ、閉状態の継続時間の長さ、冷凍・冷蔵機器の内部温度の変動がどのような状況の下で発生しているかに応じて、冷凍・冷蔵機器ごとに、冷凍・冷蔵機器周辺で作業を行っている者に対する警報発報、冷凍・冷蔵機器が配備されている店舗の管理者、冷凍・冷蔵機器が配備されている店舗における冷凍・冷蔵機器取り扱い担当者、冷凍・冷蔵機器が配備されている店舗のセキュリティを担当しているセキュリティ会社、店舗に配備されている冷凍・冷蔵機器の保守等を行う保守・冷熱機器会社などへ警報情報が通知される冷蔵庫・冷凍庫監視・警報システムである。
【００１３】
また、本発明の冷蔵庫・冷凍庫監視・警報システムは、複数の冷凍・冷蔵機器それぞれの庫内の温度状態、扉開閉状態の検知、演算により異常状態を検知判定し、店舗管理者及び搬入業者担当を含め異常情報をランプ・ブザー及びメールなどで自動通知することができるものである。
【００１４】
更に、冷凍・冷蔵機器の種別、等ごとの通常作業時間と扉開放の経過時間を演算し、通常作業時間を超過して扉が開放状態にて「扉開放警報」を警報灯・ブザー、メールにて通報するものである。
【００１５】
そして、店舗閉店前の設定時間、例えば、閉店３０分前の時間帯にもかかわらず、冷蔵冷凍庫の扉が開放状態を検知し「扉開放警報」を警報灯・ブザー、メールにて通報するものである。
【００１６】
また、デリバディ営業時間内と営業時間外の商品納入、冷蔵・冷凍庫に商品搬入後の扉の閉め忘れ又は扉が半開きの状態の場合、扉の半開き信号をリアルタイムに検知し「扉開放警報」を警報灯、ブザー及びメールにて店舗担当及びデリバディ担当に知らせ、デリバディ担当が店舗外に移動する前に処置対応させることができるものである。
【００１７】
更に、店舗閉店後最終退出者によるセキュリテーセット時に冷蔵・冷凍庫の扉が少しでも開いている場合「扉開放警報」を警報灯・ブザー、メールにて通報し、店舗閉店後最終退出者が店舗外に移動する前に処置対応させることができるものである。
【００１８】
そして、冷蔵・冷凍庫種別毎の警報設定温度と現状の庫内温度を比較し警報設定温度を超過したことを検知し、「庫内温度異常警報」を警報灯・ブザー、メールにて通報するものである。
【発明の効果】
【００１９】
この発明によれば、複数の冷凍・冷蔵機器それぞれのドアの開状態、閉状態及び内部温度の変動を監視し、開状態の継続時間の長さ、閉状態の継続時間の長さ、冷凍・冷蔵機器の内部温度の変動がどのような状況の下で発生しているかに応じて、冷凍・冷蔵機器ごとに、冷凍・冷蔵機器周辺で作業を行っている者に対する警報発報、冷凍・冷蔵機器が配備されている店舗の管理者、冷凍・冷蔵機器が配備されている店舗における冷凍・冷蔵機器取り扱い担当者、冷凍・冷蔵機器が配備されている店舗のセキュリティを担当しているセキュリティ会社、店舗に配備されている冷凍・冷蔵機器の保守等を行う保守・冷熱機器会社などへ警報情報が通知される冷蔵庫・冷凍庫監視・警報システムを提供することができる。
【００２０】
これによって、作業員による冷凍・冷蔵機器のドア閉め忘れによって冷凍・冷蔵機器から冷気が漏れだすことを未然に防止したり、ドア部のパッキンの不具合によって冷凍・冷蔵機器から冷気が漏れだすことなどを未然に防止することができる。
【００２１】
また、冷凍・冷蔵機器を監視を希望するユーザからの詳細な冷凍・冷蔵機器監視・制御要求や、ユーザから監視を依頼された複数の冷凍・冷蔵機器それぞれの特性、それぞれの冷凍・冷蔵機器に収納される商品ごとの特性に対応して、監視対象の各冷凍・冷蔵機器ごとに、適切な温度帯で、適切な管理を行うことが可能になる。
【００２２】
更に、監視している冷凍・冷蔵機器における異常な温度上昇、等への対応については、第一段階では冷凍・冷蔵機器周辺で作業を行っている者への警告・通報、第二段階では、冷凍・冷蔵機器周辺で作業を行っている者に追加して店舗の管理者、冷凍・冷蔵機器取り扱い担当者への警告、通報とし、第三段階で、これらに追加してセキュリティ会社、保守・冷熱機器メーカーへの通報を行うようにすることで、セキュリティ会社、保守・冷熱機器メーカーによる出動、等の要請を減少させることで、全体としての運営経費削減を図ることが可能になる。
【００２３】
本発明の冷蔵庫・冷凍庫デジタル監視・警報システムは、冷蔵庫、冷凍庫などの冷凍・冷蔵機器内部に商品を搬出入、等する作業員などが、作業終了時などに、冷凍・冷蔵機器のドアを閉める動作を行い、「ドアを閉めた」と認識しているにもかかわらず、いわゆる半ドアのような半開状態であったり、ドアの密閉が完全でなく隙間が空いている、等のときに適切に対応するシステムである。
【００２４】
作業員などが「ドアを閉めた」と認識しているにもかかわらず、いわゆる半ドアのような半開状態であったり、ドアの密閉が完全でなく隙間があいている、等の状態には、例えば、ドアとドア開口部との間の密閉を図る目的でこれらの部分に配備されているパッキンが劣化している等によって、冷凍・冷蔵機器内部から、冷気が、当該隙間を介して漏れ出てしまうような状態も含まれる。
【００２５】
本発明の冷蔵庫・冷凍庫デジタル監視・警報システムでは、このようなときに、冷凍・冷蔵機器の内部から冷気が少しずつ漏れだし、庫内の温度が徐々に上昇すると、これを検知手段により検知し、外部のセキュリティ会社、等に自動的に緊急時対応、派遣要請が通知され、そのような費用が発生してしまう警報温度に達する前に、冷凍・冷蔵機器の周辺で作業を行っている者、冷凍・冷蔵機器が設置されている店舗の管理部門、等に設置されているパーソナルコンピュータ（ＰＣ）などのコンピュータからなる店舗管理システム、当該店舗において冷凍・冷蔵機器を取り扱う担当になっている担当者が所持しているスマートフォン、等の担当者端末に通知する。
【００２６】
これによって、冷凍・冷蔵機器の周辺で作業を行っている者や、営業時間中などであって、店舗内に人員が残っているときには、店舗の管理部門に詰めている者、冷凍・冷蔵機器の担当者が駆けつけて対応を行うことができる。そこで、このようなときに、前述した警報温度に達したということで、自動的に、外部のセキュリティ会社、等に対して緊急時対応、派遣を要請する通知が発報され、このような緊急時対応、派遣の費用が発生することを未然に防止し、店舗内で対応できる。これによって、外部のセキュリティ会社、等による、緊急時対応、派遣に関して費用発生が生じてしまうことを未然に防止できる。
【００２７】
本発明の冷蔵庫・冷凍庫デジタル監視・警報システムによって、冷凍・冷蔵機器内部への商品搬出入、等の作業時におけるドア開放時間が、特に必要もないのに、長時間になってしまう等の事態が発生することを防止できる。また、パッキンの劣化、等によって、「ドアを閉めた」と作業員、等が認識しているにもかかわらず、半開、等、冷気が漏れ出していく小さな隙間が発生していること等を把握することも可能になる。
【００２８】
そこで、必要もないのに長時間ドアが開放されていたり、小さな隙間から長時間にわたって冷気が漏れ出すことで庫内温度が上昇し、冷凍・冷蔵機器内に収容している青果、精肉、鮮魚、冷凍食品、アイスクリームなどの商品の品質劣化、等が生じることを未然に防止できる。また、必要もないのに長時間ドアが開放されていたり、小さな隙間が存在していることで、冷凍・冷蔵機器内にネズミ、ゴキブリ、ハエなどが侵入してしまうおそれを効果的に防止できる。
【００２９】
本発明の冷凍庫監視・警報システムでは、一日におけるどのような時間帯に警報発報すべき事態になるかを、冷凍庫監視・警報システムの監視装置が監視していることで蓄積したデジタル情報に基づき、各作業工程に応じた適切なドア開放時間を考慮した上で警報発報を行うことが可能になる。
【００３０】
例えば、冷凍・冷蔵機器（冷蔵庫、冷凍庫）が設置されている店舗が営業時間でない深夜、早朝などに行われることが多いデリバディ時の搬出入作業が終了したときに、半開、等、冷気が漏れ出していく事態を把握できたならば、冷凍庫監視・警報システムは、店舗の管理者、冷凍・冷蔵機器取り扱い担当者への警告、通報を行うのではなく、デリバディ作業を行っている者が所持しているスマートフォン、等の端末に警告、通報を行うようにすることができる。警告、通報を受けたデリバディ作業者は、直ちに、冷凍・冷蔵機器（冷蔵庫、冷凍庫）の場所に戻って、ドアの完全な閉鎖を行うことができる。
【００３１】
また、このような時間帯であれば、契約している外部のセキュリティ会社、等に冷凍庫監視・警報システムから警告、通報し、セキュリティ会社がデリバディを行っている会社にその旨の警報、通報を行うことで、セキュリティ会社からデリバディ作業を行っている者に警告、通報し、警告、通報を受けたデリバディ作業者が、直ちに、冷凍・冷蔵機器（冷蔵庫、冷凍庫）の場所に戻って、ドアの完全な閉鎖を行うことで、店舗の営業時間外で、店舗の人員がいないときに、長時間にわたって、ドアの半開、等の状態が継続することを未然に防止できる。
【００３２】
あるいは、店舗営業時間外であるため出勤していない冷凍・冷蔵機器担当者のスマートフォン、等の端末に警報、通報を行うことで、当該冷凍・冷蔵機器担当者からデリバディ作業を行っている者に警告、通報を行い、警告、通報を受けたデリバディ作業者が、直ちに、冷凍・冷蔵機器（冷蔵庫、冷凍庫）の場所に戻って、ドアの完全な閉鎖を行うことで、店舗の営業時間外で、店舗の人員がいないときに、長時間にわたって、ドアの半開、等の状態が継続することを未然に防止できる。
【図面の簡単な説明】
【００３３】
【図１】この発明の冷蔵庫・冷凍庫デジタル監視・警報システムの概略構成を表す図。
【図２】監視装置の概略構成を表す図。
【図３】この発明の冷蔵庫・冷凍庫デジタル監視・警報システムにより冷蔵庫・冷凍庫に対する監視及び、警報が行われる状態の概略構成を表す図。
【図４】この発明の冷蔵庫・冷凍庫デジタル監視・警報システムによって第一の警報対応が行われる場合の一例を説明するフロー図。
【図５】この発明の冷蔵庫・冷凍庫デジタル監視・警報システムによって第二の警報対応が行われる場合の一例を説明するフロー図。
【図６】この発明の冷蔵庫・冷凍庫デジタル監視・警報システムによって第三の警報対応が行われる場合の一例を説明するフロー図。
【図７】この発明の冷蔵庫・冷凍庫デジタル監視・警報システムによって第四の警報対応が行われる場合の一例を説明するフロー図。
【図８】この発明の冷蔵庫・冷凍庫デジタル監視・警報システムを利用する顧客から指示を受けた特定の冷凍・冷蔵機器についての対応マニュアルの一例を表す図。
【図９】この発明の冷蔵庫・冷凍庫デジタル監視・警報システムを利用する顧客から指示を受けた特定の冷凍・冷蔵機器についての対応マニュアルの他の一例を表す図。
【図１０】この発明の冷蔵庫・冷凍庫監視・警報システムの実施形態における、冷蔵・冷凍庫の扉開放状態監視の一例を説明する概略図である。
【図１１】図１０図示の実施形態における冷蔵・冷凍庫の扉開放状態監視の一例を説明するフロー図である。
【図１２】この発明の冷蔵庫・冷凍庫監視・警報システムの実施形態における、冷蔵・冷凍庫の扉開放状態監視の他の例を説明する概略図である。
【発明を実施するための形態】
【００３４】
この実施形態の冷蔵庫・冷凍庫デジタル監視・警報システムは、複数のドア開閉状態検知手段２４ａ、２４ｂ、２４ｃ、２４ｄ、２５ａ、２５ｂ、２５ｃ、２５ｄと、複数の庫内温度計測手段２７ａ、２７ｂ、２７ｃ、２７ｄ、２８ａ、２８ｂ、２８ｃ、２８ｄと、監視装置１とを備えている。
【００３５】
以下、本明細書、図面において、ドア開閉状態検知手段２４ａ〜２４ｄ、２５ａ〜２５ｄをそれぞれ総称してドア開閉状態検知手段２４、ドア開閉状態検知手段２５と表すことがある。また、庫内温度計測手段２７ａ〜２７ｄ、２８ａ〜２８ｄをそれぞれ総称して庫内温度計測手段２７、庫内温度計測手段２８と表すことがある。
【００３６】
ドア開閉状態検知手段２４、２５は、監視対象の複数の冷凍・冷蔵機器２０ａ、２０ｂ、２０ｃ、２０ｄ、２１ａ、２１ｂ、２１ｃ、２１ｄそれぞれのドア部２２ａ、２２ｂ、２２ｃ、２２ｄ、２３ａ、２３ｂ、２３ｃ、２３ｄに配備されている。
【００３７】
以下、本明細書、図面において、冷凍・冷蔵機器２０ａ〜２０ｄ、２１ａ〜２１ｄを総称して冷凍・冷蔵機器２０、冷凍・冷蔵機器２１と表すことがある。また、ドア部２２ａ〜２２ｄ、２３ａ〜２３ｄを総称してドア部２２、ドア部２３と表すことがある。
【００３８】
ドア開閉状態検知手段２４、２５は、冷凍・冷蔵機器２０、冷凍・冷蔵機器２１のドア部２２、２３が開放されている状態あるいはドア部２２、２３が閉鎖されている状態にあることを検知する手段である。例えば、ドア部２２、２３の側に取り付けられている磁石と、ドア枠側の対応する位置に取り付けられているスイッチ部とからなる防水型の検知手段を採用することができる。この検知手段では、例えば、ドア部２２、２３が閉鎖されるとマグネット部とスイッチ部との接触によってドア部２２、２３が閉鎖されたことが検知される。一方、ドア部２２、２３が開放されるとマグネット部とスイッチ部との接触状態が解除されることでドア部２２、２３が開放されたことが検知される。
【００３９】
また、ドア開閉状態検知手段２４、２５を非接触式の検知手段にすることもできる。例えば、冷凍・冷蔵機器２０、冷凍・冷蔵機器２１のドアの部分を監視するカメラの画像情報からドア部２２、２３が閉鎖されたこと、ドア部２２、２３が開放されたことを認識、把握する非接触式のドア開閉状態検知手段２４、２５とするものである。
【００４０】
図１図示の実施形態では、冷凍・冷蔵機器２０が冷蔵庫で、冷凍・冷蔵機器２１が冷凍庫である。図示の実施形態では、冷凍庫である冷凍・冷蔵機器２１ａ、２１ｂが、冷蔵庫である冷凍・冷蔵機器２０ａ、２０ｂの内部に配備されている。
【００４１】
庫内温度計測手段２７、２８は、複数の冷凍・冷蔵機器２０、２１の内部にそれぞれ配備されていて複数の冷凍・冷蔵機器２０、２１の内部の温度をそれぞれ検知するものである。この技術分野で公知の温度検知手段を採用することができる。
【００４２】
図１では図示を省略しているが、ドア開閉状態検知手段２４、ドア開閉状態検知手段２５のそれぞれで検知された情報及び、庫内温度計測手段２７、庫内温度計測手段２８のそれぞれで検知された情報は、有線あるいは無線のネットワークを介して監視装置１に入力されるようになっている。
【００４３】
ドア開閉状態検知手段２４、２５は検知したドア開放情報、ドア閉鎖情報をデジタル情報で、無線または有線のネットワークを介して監視装置１へ伝える。
【００４４】
庫内温度計測手段２７、２８は、検知した温度情報をデジタル情報で、無線または有線のネットワークを介して監視装置１へ伝える。
【００４５】
監視装置１は、複数のドア開閉状態検知手段２４、２５の中の特定の一つのドア開閉状態検知手段２４、２５から取得した情報及び、複数の庫内温度計測手段２７、２８の中の特定の一つの庫内温度計測手段２７、２８から取得した庫内温度情報に基づいて、特定の一つのドア開閉状態検知手段２４、２５及び特定の一つの庫内温度計測手段２７、２８が配備されている冷凍・冷蔵機器２０、２１を監視することで、複数の冷凍・冷蔵機器２０、２１を監視するものである。
【００４６】
監視装置１は、後述するように、有線あるいは無線のネットワークを介して外部の情報機器手段（例えば、パーソナルコンピュータ、タブレット端末や、スマートフォン、等の携帯通信端末）との間で情報交信可能なコンピュータの構成にすることができる。
【００４７】
監視装置１は、時間計測手段２と、庫内温度監視手段３と、警報対応手段と、監視時間情報管理手段８と、解除情報対応手段９と、警報対応補正手段１０とを備えている。図示の実施形態では、前記警報対応手段に第一の警報対応手段４と、第二の警報対応手段５と、第三の警報対応手段６と、第四の警報対応手段７とが含まれている。また、監視装置１は、後述するこの実施形態の冷蔵庫・冷凍庫監視・警報システムがコンピュータの構成からなる監視装置１を介して実行される上で必要なデータなどを格納するデータベース１０を備えている。
【００４８】
図示していないが、監視装置１は、オペレーティングシステムや、インストールあるいはダウンロードした所定のコンピュータプログラムなどに従って、この実施形態の冷蔵庫・冷凍庫監視・警報システムの各種の機能が監視装置１によって実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、通信インターフェースなどを備えていて、これらが必要なバスラインで接続されている。また、液晶画面などの表示画面からなる情報出力部、キーボード、マウス、等や、液晶画面を操作する、等による情報入力部をも備えている構成にすることもできる。
【００４９】
時間計測手段２は、ドア部２２、２３が閉鎖されている状態から開放された状態になったことを知らせるドア開放情報をドア開閉状態検知手段２４、２５から取得した時点からの開状態経過時間を計測する。また、ドア部２２、２３が開放されている状態から閉鎖された状態になったことを知らせるドア閉鎖情報をドア開閉状態検知手段２４、２５から取得した時点からの閉状態経過時間を計測する。
【００５０】
庫内温度監視手段３は、庫内温度計測手段２７、２８から取得した庫内温度情報に基づいて冷凍・冷蔵機器２０、２１の内部温度を監視する。
【００５１】
第一の警報対応手段４は、時間計測手段２によって計測されている開状態経過時間が、ドア開放情報を通知してきた特定の一つのドア開閉状態検知手段２４、２５が配備されている冷凍・冷蔵機器２０、２１に対してあらかじめ定められている所定の時間に到達した際に、当該冷凍・冷蔵機器２０、２１に対してあらかじめ設定されている対応マニュアルに従って指定されている第一の警報対応を行う。
【００５２】
第二の警報対応手段５は、庫内温度監視手段３が監視している、ドア開放情報を取得した時点以降の当該ドア開放情報を通知してきた特定の一つのドア開閉状態検知手段２４、２５が配備されている冷凍・冷蔵機器２０、２１の内部温度の上昇が、前記ドア開放情報を取得した後であって次のドア閉鎖情報を取得する前に、前記ドア開放情報を通知してきた特定の一つのドア開閉状態検知手段２４、２５が配備されている冷凍・冷蔵機器２０、２１に対してあらかじめ定められている所定の温度までの上昇であるときに、前記冷凍・冷蔵機器２０、２１に対してあらかじめ設定されている対応マニュアルに従って指定されている第二の警報対応を行う。
【００５３】
第三の警報対応手段６は、庫内温度監視手段３が監視している、ドア閉鎖情報を取得した時点以降の前記ドア閉鎖情報を通知してきた特定の一つのドア開閉状態検知手段２４、２５が配備されている冷凍・冷蔵機器２０、２１の内部温度が、前記ドア閉鎖情報を通知してきた特定の一つのドア開閉状態検知手段２４、２５が配備されている冷凍・冷蔵機器２０、２１に対してあらかじめ設定されている所定の時間を経過しても、前記ドア閉鎖情報を通知してきた特定の一つのドア開閉状態検知手段２４、２５が配備されている冷凍・冷蔵機器２０、２１に対してあらかじめ設定されている所定の内部温度に到達しないときに、前記ドア閉鎖情報を通知してきた特定の一つのドア開閉状態検知手段２４、２５が配備されている冷凍・冷蔵機器２０、２１に対してあらかじめ設定されている対応マニュアルに従って指定されている第三の警報対応を行う。
【００５４】
第四の警報対応手段７は、庫内温度監視手段３が監視している、ドア閉鎖情報を取得した時点以降の前記ドア閉鎖情報を通知してきた特定の一つのドア開閉状態検知手段２４、２５が配備されている冷凍・冷蔵機器２０、２１の内部温度が、次のドア開放情報を取得する前であって、前記ドア閉鎖情報を通知してきた特定の一つのドア開閉状態検知手段２４、２５が配備されている冷凍・冷蔵機器に対してあらかじめ設定されている所定の時間を経過した後、前記冷凍・冷蔵機器２０、２１に対してあらかじめ設定されている所定の内部温度にまで到達したときに、前記ドア閉鎖情報を通知してきた特定の一つのドア開閉状態検知手段２４、２５が配備されている冷凍・冷蔵機器２０、２１に対してあらかじめ設定されている対応マニュアルに従って指定されている第四の警報対応を行う。
【００５５】
監視時間情報管理手段８は、監視装置１によって冷凍・冷蔵機器を監視している時間を把握・管理している。
【００５６】
解除情報対応手段９は、警報状態解除指示を監視装置１が取得した際に、監視状態をリセットして、監視状態を最初から開始する処理を行う。
【００５７】
警報対応補正手段１０は、監視時間情報管理手段８によって把握・管理されている、監視装置１が冷凍・冷蔵機器を監視している時間に応じて、第一の警報対応、第二の警報対応、等の警報対応において、あらかじめ設定されている情報提供対象者とは異なる情報提供対象者に対して、前記あらかじめ設定されている情報提供対象者に対して通報することになっている警告、等の情報提供を行うものである。
【００５８】
あるいは、監視時間情報管理手段８によって把握・管理されている、監視装置１が冷凍・冷蔵機器を監視している時間に応じて、第一の警報対応、第二の警報対応、等の警報対応において、あらかじめ設定されている情報提供対象者に追加して、あらかじめ設定されている情報提供対象者とは異なる情報提供対象者に対しても、前記あらかじめ設定されている情報提供対象者に対して通報することになっている警告、等の情報提供を行うものである。
【００５９】
また、警報対応補正手段１０は、監視時間情報管理手段８によって把握・管理されている、監視装置１が冷凍・冷蔵機器を監視している時間と、解除情報対応手段９が取得した警報状態解除指示に基づいて監視装置１による監視状態をリセットして最初から監視状態を開始する情報とに基づいて、前記警報状態解除指示に係る警報対応を行うためにあらかじめ定められている前記所定の時間を、あらかじめ定められている前記所定の時間の長さよりも長い時間に補正する処理を行うものである。
【００６０】
＜システムの設定＞
この実施形態の冷蔵庫・冷凍庫監視・警報システムを利用して自社が使用している複数の冷凍・冷蔵機器２０ａ、２０ｂ、２０ｃ、２０ｄ、２１ａ、２１ｂ、２１ｃ、２１ｄの監視を行うことを希望する事業者は、冷凍・冷蔵機器２０、２１のドア部２２、２３にドア開閉状態検知手段２４、２５を配備する。また、各冷凍・冷蔵機器２０、２１内に庫内温度計測手段２７、２８を配備する。
【００６１】
そして、図１では図示を省略しているが、ドア開閉状態検知手段２４、２５、庫内温度計測手段２７、２８を有線あるいは無線のネットワークを介してコンピュータの構成からなる監視装置１に接続する。
【００６２】
そして、監視を求める冷凍・冷蔵機器２０、２１のそれぞれについて、どのような対応マニュアルで監視を行うことを希望、指示するか監視装置１に入力する。
【００６３】
例えば、冷凍・冷蔵機器２０ａについては、図８に図示されている対応マニュアルで監視を行うこと、冷凍・冷蔵機器２０ｃについては、図９に図示されている対応マニュアルで監視を行うことを監視装置１に入力する。
【００６４】
なお、この実施形態の冷蔵庫・冷凍庫監視・警報システムを提供する者が、前記事業者から提供を受けた情報に基づいて、監視を求める冷凍・冷蔵機器２０、２１のそれぞれについて、どのような対応マニュアルで監視を行うことにするかを、冷凍・冷蔵機器２０、２１の特性、冷凍・冷蔵機器２０、２１に収容される商品の特性に応じて設定することもできる。
【００６５】
例えば、図１２図示のように青果を収容する冷蔵庫であれば設定温度は７℃で、精肉、鮮魚を収容する冷蔵庫であれば設定温度は０℃、冷凍食品であれば設定温度は−１８℃、等である。これらに応じて、後述する第一の警報対応、第二の警報対応、第三の警報対応、第四の警報対応を行うためにあらかじめ設定されている所定の開状態経過時間、閉状態経過時間、温度情報の所定の温度、温度降下の所定の温度などが設定入力される。
【００６６】
こうして入力された対応マニュアル、指示は、顧客を特定する識別情報と、当該個客が管理を依頼した冷凍・冷蔵機器２０、２１を特定する識別情報とに管理づけられて、監視装置１が備えているデータベース１０に格納される。
【００６７】
また、店舗に配備されているそれぞれの冷凍・冷蔵機器２０、２１ごとに、保守、等を請け負っている保守・冷熱会社が備えているパーソナルコンピュータ等の端末１３へのネットワークを介して情報提供を行うために必要な情報（端末１３のＩＰアドレス、メールアドレス情報、等）、当該店舗のセキュリティを請け負っているセキュリティ会社が備えているパーソナルコンピュータ等の端末１４へのネットワークを介して情報提供を行うために必要な情報（端末１４のＩＰアドレス、メールアドレス情報、等）、各冷凍・冷蔵機器２０、２１に商品のデリバディ配達を行うデリバディ会社が備えているパーソナルコンピュータ等の端末へのネットワークを介して情報提供を行うために必要な情報（当該端末のＩＰアドレス、メールアドレス情報、等）や、各冷凍・冷蔵機器２０、２１に商品のデリバディ配達を行うデリバディ会社のデリバディ担当者が使用しているスマートフォン等の端末に対してネットワークを介して情報提供を行うために必要な情報（当該端末のＩＰアドレス、メールアドレス情報、等）も、監視装置１が備えているデータベース１０に格納される。
【００６８】
図８、図９に図示されている対応マニュアルでは、特定のモードの際には当該顧客の店舗における店舗管理センターの店舗管理端末１１、当該顧客の当該店舗における冷凍・冷蔵機器取り扱い担当者が使用している担当者端末１２ａ、１２ｂ、１２ｃ、当該顧客の当該店舗の警備を担当しているセキュリティ会社が使用しているセキュリティ会社端末１３、当該顧客の当該店舗における冷凍・冷蔵機器２０、２１の保守・管理等を担当している保守・冷熱機器メーカーが使用している保守・冷熱機器メーカー端末１４へ、有線又は無線のネットワークを介して、監視装置１から、直接、情報提供が行われることを顧客が希望している。
【００６９】
そこで、監視装置１では、図８、図９に図示されている対応マニュアルデータを、顧客を特定する識別情報と、当該個客が管理を依頼した冷凍・冷蔵機器２０、２１を特定する識別情報とに管理づけて、データベース１０に格納すると共に、これらの店舗管理端末１１、担当者端末１２ａ、１２ｂ、１２ｃ、セキュリティ会社端末１３、保守・冷熱機器メーカー端末１４へ、有線又は無線のネットワークを介して、情報提供、情報交信可能になるように設定が行われる。
【００７０】
＜第一の警報対応＞
図４を用いて、第一の警報対応が行われる場合の一例を説明する。
【００７１】
冷凍・冷蔵機器２０ａのドア部２２ａが開放されるとドア開閉状態検知手段２４ａからドア部２２ａが開放されたことを知らせる情報が監視装置１に入力される（Ｓ４０１）。
【００７２】
監視装置１では時間計測手段２が開状態経過時間の計測を開始する（Ｓ４０２）。
【００７３】
時間計測手段２によって計測されている開状態経過時間が、ドア開放情報を通知してきた特定の一つのドア開閉状態検知手段２４ａが配備されている冷凍・冷蔵機器２０ａに対してあらかじめ定められている所定の時間に到達した際に、第一の警報対応手段４によって、冷凍・冷蔵機器２０ａに対してあらかじめ設定されている対応マニュアルに従って指定されている第一の警報対応が行われる（Ｓ４０４）。
【００７４】
図８の例では、開状態経過時間が１５分になったかどうかが判断され（Ｓ４０３）、開状態経過時間が１５分になったならば、第一の警報対応手段４からの指示によって、冷凍・冷蔵機器２０ａに配備されている警告ランプ２９が黄色に点灯し、同じく、冷凍・冷蔵機器２０ａに配備されている警報ブザー３０から発報が行われる。
【００７５】
これによって、冷凍・冷蔵機器２０ａのドア部２２ａを空けて作業を行っている作業員は、ドア開放時間が１５分を越えたことを認識できる。
【００７６】
引き続き、ドア部２２ａをあけたまま作業が続けられるならば、開状態経過時間が３０分になったかどうかが判断され（Ｓ４０３）、開状態経過時間が３０分になったならば、第一の警報対応手段４からの指示によって、冷凍・冷蔵機器２０ａに配備されている警告ランプ２９が赤色に点灯し、同じく、冷凍・冷蔵機器２０ａに配備されている警報ブザー３０から発報が行われる。更に、この段階では、店舗管理端末１１、担当者端末１２ａ、１２ｂ、１２ｃへも、第一の警報対応手段４からの指示によって、通知が行われる。
【００７７】
そこで、冷凍・冷蔵機器２０ａのドア部２２ａを空けて作業を行っている作業員が、ドア開放時間が３０分を越えたことを認識できるだけでなく、店舗の管理センターや、冷凍・冷蔵機器取り扱い担当者も、冷凍・冷蔵機器２０ａのドア部２２ａが３０分を越えて連続してドア開放されている状態にあることを認識でき、必要があれば、冷凍・冷蔵機器２０ａに急行して、異常がないかどうかを確認することができる。
【００７８】
この後も、ドア部２２ａをあけたまま作業が続けられるならば、開状態経過時間が４５分になったかどうかが判断され（Ｓ４０３）、開状態経過時間が４５分になったならば、これまでの第一の警報対応だけでなく、第一の警報対応手段４からの指示によって、当該顧客の当該店舗の警備を担当しているセキュリティ会社が使用しているセキュリティ会社端末１３へも通報が行われる。
【００７９】
店舗の管理センターや、冷凍・冷蔵機器取り扱い担当者に対して情報提供が行われているにもかかわらず、ドア解放状態が長時間にわたって継続する場合、セキュリティ会社に対応してもらうことを要請する顧客に対応するものである。
【００８０】
なお、図８の例で、開状態経過時間が１５分になったかどうかが判断され（Ｓ４０３）、開状態経過時間が１５分になって、第一の警報対応手段４からの指示によって、冷凍・冷蔵機器２０ａに配備されている警告ランプ２９が黄色に点灯し、同じく、冷凍・冷蔵機器２０ａに配備されている警報ブザー３０から発報された際、冷凍・冷蔵機器２０ａで作業を行っている作業員が、まだ作業中であるため、監視装置１による監視状態をリセットし、監視状態が最初から開始されるように希望する場合には、当該作業員は、冷凍・冷蔵機器２０ａに配備されている解除通報通知ボタンを押して、監視装置１へ警報状態解除指示を送る。あるいは、当該作業員が自分で所有しているスマートフォン、等の端末を介して監視装置１へ警報状態解除指示を送る。
【００８１】
不図示のネットワークを介して、警報状態解除指示を監視装置１が取得すると、解除情報対応手段９が、警監視状態をリセットして、監視状態を最初から開始する処理を行う。この場合は、Ｓ４０１からの監視作業が再開されることになる。
【００８２】
＜第二の警報対応＞
図５を用いて、第二の警報対応が行われる場合の一例を説明する。
【００８３】
冷凍・冷蔵機器２０ａのドア部２２ａが開放されるとドア開閉状態検知手段２４ａからドア部２２ａが開放されたことを知らせる情報が監視装置１に入力される（Ｓ５０１）。
【００８４】
監視装置１では時間計測手段２が開状態経過時間の計測を開始する（Ｓ５０２）。
【００８５】
庫内温度計測手段２７ａは、ドア開閉状態検知手段２４ａからドア部２２ａが開放されたことが知らされた冷凍・冷蔵機器２０ａの庫内温度を計測しており、その情報が監視手段１の庫内温度監視手段３に伝えられる。庫内温度監視手段３は、庫内温度が所定の温度まで上昇したかどうかを監視している（Ｓ５０３）。
【００８６】
図８のモードＡの例では、庫内温度が２℃を越えて上昇した場合には、冷凍・冷蔵機器２０ａのドア部２２ａが開放されてから１０分を越える時間が経過したか否かが庫内温度監視手段３によって検討される（Ｓ５０５）。
【００８７】
そして、冷凍・冷蔵機器２０ａのドア部２２ａが開放されてから１０分を越えていて、なおかつ、庫内温度が２℃を越えて上昇しているときには、第二の警報対応手段５によって、冷凍・冷蔵機器２０ａに対してあらかじめ設定されている対応マニュアルに従って指定されている第二の警報対応が行われる（Ｓ５０５）。
【００８８】
図８のモードＡの例では、第二の警報対応手段５からの指示によって、冷凍・冷蔵機器２０ａに配備されている警告ランプ２９が黄色に点灯し、同じく、冷凍・冷蔵機器２０ａに配備されている警報ブザー３０から発報が行われる。
【００８９】
これによって、冷凍・冷蔵機器２０ａのドア部２２ａを空けて作業を行っている作業員は、ドア開放時間が１０分を越えたこと、庫内温度が２℃を越えて上昇したことを認識できる。
【００９０】
庫内温度の２℃を越える上昇に関しては、例えば、冷凍・冷蔵機器２０ａのドア部２２ａが開放された時点で、庫内温度計測手段２７ａから取得していた庫内温度に対して２℃を越えて上昇したことを監視手段１の庫内温度監視手段３が把握して対応を行う構成にすることができる。あるいは、あらかじめ、顧客Ａが入力していた、冷凍・冷蔵機器２０ａに対して許容され得る最高の温度に対して、ドア部２２ａ開放後に、庫内温度計測手段２７ａから取得する庫内温度が２℃を越えて上昇したことを監視手段１の庫内温度監視手段３が把握して対応を行う構成にすることができる。
【００９１】
一方、図８のモードＢの例では、庫内温度が５℃を越えて上昇した場合、冷凍・冷蔵機器２０ａのドア部２２ａが開放されてから１０分を越える時間が経過したか否かが庫内温度監視手段３によって検討される（Ｓ５０５）。
【００９２】
そして、冷凍・冷蔵機器２０ａのドア部２２ａが開放されてから１０分を越えていて、なおかつ、庫内温度が５℃を越えて上昇しているときには、第二の警報対応手段５によって、冷凍・冷蔵機器２０ａに対してあらかじめ設定されている対応マニュアルに従って指定されている第二の警報対応が行われる（Ｓ５０５）。
【００９３】
図８のモードＢの例では、第二の警報対応手段５からの指示によって、冷凍・冷蔵機器２０ａに配備されている警告ランプ２９が黄色に点灯し、同じく、冷凍・冷蔵機器２０ａに配備されている警報ブザー３０から発報が行われ、更に、店舗管理端末１１、担当者端末１２ａ、１２ｂ、１２ｃへも、第二の警報対応手段５からの指示によって、通知が行われる。
【００９４】
冷凍・冷蔵機器２０ａのドア部２２ａが開放された後、１０分を越えていてなおかつ５℃を越える温度情報では、冷凍・冷蔵機器２０ａのドア部２２ａを空けて作業を行っている作業員にその事態を認識させるだけではなく、店舗の管理者、冷凍・冷蔵機器２０ａの担当者へもその旨を通知する必要があるという顧客Ａからの要請にこたえるものである。
【００９５】
なお、ここでも、第二の警報対応手段５からの指示によって、冷凍・冷蔵機器２０ａに配備されている警告ランプ２９が点灯し、同じく、冷凍・冷蔵機器２０ａに配備されている警報ブザー３０から発報した際に、冷凍・冷蔵機器２０ａで作業を行っている作業員が、まだ作業中であるため、監視装置１による監視状態をリセットし、監視状態が最初から開始されるように希望する場合には、当該作業員は、冷凍・冷蔵機器２０ａに配備されている解除通報通知ボタンを押して、監視装置１へ警報状態解除指示を送る。あるいは、当該作業員が自分で所有しているスマートフォン、等の端末を介して監視装置１へ警報状態解除指示を送る。
【００９６】
不図示のネットワークを介して、警報状態解除指示を監視装置１が取得すると、解除情報対応手段９が、警監視状態をリセットして、監視状態を最初から開始する処理を行う。この場合は、５４０１からの監視作業が再開されることになる。
【００９７】
＜第三の警報対応＞
図６を用いて、第三の警報対応が行われる場合の一例を説明する。
【００９８】
冷凍・冷蔵機器２０ａのドア部２２ａが閉鎖されるとドア開閉状態検知手段２４ａからドア部２２ａが閉鎖されたことを知らせる情報が監視装置１に入力される（Ｓ６０１）。
【００９９】
監視装置１では時間計測手段２が閉状態経過時間の計測を開始する（Ｓ６０２）。
【０１００】
庫内温度監視手段２７ａが監視している、前記ドア閉鎖情報を取得した時点以降の前記ドア閉鎖情報を通知してきたドア開閉状態検知手段２４ａが配備されている冷凍・冷蔵機器２０ａの内部温度が、前記ドア閉鎖情報を通知してきたドア開閉状態検知手段２４ａが配備されている冷凍・冷蔵機器２０ａに対してあらかじめ設定されている所定の時間を経過しても、ドア閉鎖情報を通知してきたドア開閉状態検知手段２４ａが配備されている冷凍・冷蔵機器２０ａに対してあらかじめ設定されている所定の内部温度に到達しないときに、前記ドア閉鎖情報を通知してきたドア開閉状態検知手段２４ａが配備されている冷凍・冷蔵機器２０ａに対してあらかじめ設定されている対応マニュアルに従って指定されている第三の警報対応を第三の警報対応手段６が行う。
【０１０１】
すなわち、前記ドア閉鎖情報を通知してきたドア開閉状態検知手段２４ａが配備されている冷凍・冷蔵機器２０ａに対してあらかじめ設定されている所定の時間を経過したか否かが判断される（Ｓ６０３）。
【０１０２】
所定の時間を経過していると判断された場合、前記ドア閉鎖情報を取得した時点以降の前記ドア閉鎖情報を通知してきたドア開閉状態検知手段２４ａが配備されている冷凍・冷蔵機器２０ａの内部温度が、前記ドア閉鎖情報を通知してきたドア開閉状態検知手段２４ａが配備されている冷凍・冷蔵機器２０ａに対してあらかじめ設定されている所定の内部温度まで下降したかが判断される（Ｓ６０４）。
【０１０３】
例えば、図８のモードＥでは、閉状態経過時間が１５分となり、ドアが閉鎖された時点からの温度降下が１℃より少ない場合、第三の警報対応手段６は店舗管理部に備えられている端末１１に対して警告、通報を行い、同時に、冷凍・冷蔵機器２０ａの取り扱い担当者が所有しているスマートフォン等の端末１２ａ、１２ｂ、１２ｃへ警告、通報を行う。
【０１０４】
冷凍・冷蔵機器２０ａの冷蔵・冷凍能力や、冷凍・冷蔵機器２０ａに収容されている商品の特性から、ドア部２２ａが確実に閉鎖された後１５分経過しても温度がドアが閉鎖された時点から１℃以上降下していない場合、ドア部２２ａが半開になっている、あるいは、何らかの原因で冷気漏れしている可能性が考えられるとして、店舗の管理部や、担当者に通報するものである。
【０１０５】
図８のモードＦでは、閉状態経過時間が３０分となり、ドアが閉鎖された時点からの温度降下が１℃より少ない場合、第三の警報対応手段６は店舗管理部に備えられている端末１１に対して警告、通報を行い、同時に、冷凍・冷蔵機器２０ａの取り扱い担当者が所有しているスマートフォン等の端末１２ａ、１２ｂ、１２ｃへ警告、通報を行い、更に、保守・冷熱機器会社が使用しているパーソナルコンピュータ等の端末１４へ警告、通報を行う。
【０１０６】
＜第四の警報対応＞
図７を用いて、第四の警報対応が行われる場合の一例を説明する。
【０１０７】
冷凍・冷蔵機器２０ａのドア部２２ａが閉鎖されるとドア開閉状態検知手段２４ａからドア部２２ａが閉鎖されたことを知らせる情報が監視装置１に入力される（Ｓ７０１）。
【０１０８】
監視装置１では時間計測手段２が閉状態経過時間の計測を開始する（Ｓ７０２）。
【０１０９】
引き続き、庫内温度監視手段２７ａが監視している、前記ドア閉鎖情報を取得した時点以降の前記ドア閉鎖情報を通知してきたドア開閉状態検知手段２４ａが配備されている冷凍・冷蔵機器２０ａの内部温度が、次のドア開放情報を取得する前であって、前記ドア閉鎖情報を通知してきたドア開閉状態検知手段２４ａが配備されている冷凍・冷蔵機器２０ａに対してあらかじめ設定されている所定の時間を経過した後、冷凍・冷蔵機器２０ａに対してあらかじめ設定されている所定の内部温度にまで到達したときに、前記ドア閉鎖情報を通知してきたドア開閉状態検知手段２４ａが配備されている冷凍・冷蔵機器２０ａに対してあらかじめ設定されている対応マニュアルに従って指定されている第四の警報対応を第四の警報対応手段７が行う。
【０１１０】
ここでは、前記ドア閉鎖情報を通知してきたドア開閉状態検知手段２４ａが配備されている冷凍・冷蔵機器２０ａに対してあらかじめ設定されている所定の時間が経過したか否か、そして、その時間が、次のドア開放情報を取得する前であるか否かが判断される（Ｓ７０３）。
【０１１１】
所定の時間を経過し、なおかつ、次のドア開放情報を取得する前である場合、前記ドア閉鎖情報を取得した時点以降の前記ドア閉鎖情報を通知してきたドア開閉状態検知手段２４ａが配備されている冷凍・冷蔵機器２０ａの内部温度が前記ドア閉鎖情報を通知してきたドア開閉状態検知手段２４ａが配備されている冷凍・冷蔵機器２０ａに対してあらかじめ設定されている所定の内部温度にまで上昇したか否かが判断される（Ｓ７０４）。
【０１１２】
そして、所定の温度にまで上昇している場合、前記ドア閉鎖情報を通知してきたドア開閉状態検知手段２４ａが配備されている冷凍・冷蔵機器２０ａに対してあらかじめ設定されている対応マニュアルに従って指定されている第四の警報対応を第四の警報対応手段７が行う。
【０１１３】
例えば、図８のモードＧであれば、閉状態経過時間が５時間を越え、次のドア開放情報を取得する前に、ドア閉鎖時点からの温度上昇が１℃より大きく、２℃より小さいときには、第三の警報対応手段６は店舗管理部に備えられている端末１１に対して警告、通報を行い、同時に、冷凍・冷蔵機器２０ａの取り扱い担当者が所有しているスマートフォン等の端末１２ａ、１２ｂ、１２ｃへ警告、通報を行う。
【０１１４】
また、モードＧの設定であれば、閉状態経過時間が５時間を越え、次のドア開放情報を取得する前に、ドア閉鎖時点からの温度上昇が２℃以上であるときには、第三の警報対応手段６は、店舗管理部に備えられている端末１１に対して警告、通報を行い、同時に、冷凍・冷蔵機器２０ａの取り扱い担当者が所有しているスマートフォン等の端末１２ａ、１２ｂ、１２ｃへ警告、通報を行い、更に、保守・冷熱機器会社が使用しているパーソナルコンピュータ等の端末１４へ警告、通報を行う。
【０１１５】
（警報対応補正手段による補正）
上述したように、第一の警報対応、等の警戒対応の際に、監視装置１へ警報状態解除指示を受けることがある。これは、冷凍・冷蔵機器のドアを開けて作業を行っていた作業員や、対応のために冷凍・冷蔵機器に駆けつけた店舗管理者、冷凍・冷蔵機器の取り扱い担当者が、あらかじめ設定されていた第一の警報対応、等の警戒対応を、この時点では解除して、あらためて、最初から、監視を行うようにしてよい、と判断した場合である。
【０１１６】
冷凍・冷蔵機器における作業は、種々にわたっている。例えば、冷凍・冷蔵機器（冷蔵庫、冷凍庫）が設置されている店舗が営業時間でない深夜、早朝などに行われることが多いデリバディ時の搬出入作業と、店舗が営業されている時間帯において行われる商品の搬出入作業とでは、冷凍・冷蔵機器（冷蔵庫、冷凍庫）のドアを開放して作業を行う時間の長さがそれぞれ異なる。
【０１１７】
本発明の冷凍庫監視・警報システムでは、一日におけるどのような時間帯に警報発報すべき事態になるかを、冷凍庫監視・警報システムの監視装置１が監視していることで蓄積したデジタル情報に基づき、各作業工程に応じた適切なドア開放時間を考慮した上で警報発報を行うことが可能になる。これが、警報対応補正手段１０による補正である。
【０１１８】
例えば、警報対応補正手段１０は、監視時間情報管理手段８によって把握・管理されている、監視装置１が冷凍・冷蔵機器を監視している時間に応じて、第一の警報対応、第二の警報対応、等の警報対応において、あらかじめ設定されている情報提供対象者とは異なる情報提供対象者に対して、前記あらかじめ設定されている情報提供対象者に対して通報することになっている警告、等の情報提供を行う。
【０１１９】
あるいは、警報対応補正手段１０は、監視時間情報管理手段８によって把握・管理されている、監視装置１が冷凍・冷蔵機器を監視している時間に応じて、第一の警報対応、第二の警報対応、等の警報対応において、あらかじめ設定されている情報提供対象者に追加して、あらかじめ設定されている情報提供対象者とは異なる情報提供対象者に対しても、前記あらかじめ設定されている情報提供対象者に対して通報することになっている警告、等の情報提供を行う。
【０１２０】
更には、警報対応補正手段１０は、監視時間情報管理手段８によって把握・管理されている、監視装置１が冷凍・冷蔵機器を監視している時間と、解除情報対応手段９が取得した警報状態解除指示に基づいて監視装置１による監視状態をリセットして最初から監視状態を開始する情報とに基づいて、前記警報状態解除指示に係る警報対応を行うためにあらかじめ定められている前記所定の時間を、あらかじめ定められている前記所定の時間の長さよりも長い時間に補正する処理を行うものである。
【０１２１】
例えば、冷凍・冷蔵機器（冷蔵庫、冷凍庫）が設置されている店舗が営業時間でない深夜、早朝などに行われることが多いデリバディ時の搬出入作業が終了したときに、半開、等、冷気が漏れ出していく事態を把握できたならば、冷凍庫監視・警報システムは、店舗の管理者、冷凍・冷蔵機器取り扱い担当者への警告、通報を行うのではなく、デリバディ作業を行っている者が所持しているスマートフォン、等の端末に警告、通報を行うようにすることができる。警告、通報を受けたデリバディ作業者は、直ちに、冷凍・冷蔵機器（冷蔵庫、冷凍庫）の場所に戻って、ドアの完全な閉鎖を行うことができる。
【０１２２】
また、このような時間帯であれば、契約している外部のセキュリティ会社、等に冷凍庫監視・警報システムから警告、通報し、セキュリティ会社がデリバディを行っている会社にその旨の警報、通報を行うことで、セキュリティ会社からデリバディ作業を行っている者に警告、通報し、警告、通報を受けたデリバディ作業者が、直ちに、冷凍・冷蔵機器（冷蔵庫、冷凍庫）の場所に戻って、ドアの完全な閉鎖を行うことで、店舗の営業時間外で、店舗の人員がいないときに、長時間にわたって、ドアの半開、等の状態が継続することを未然に防止できる。
【０１２３】
あるいは、店舗営業時間外であるため出勤していない冷凍・冷蔵機器担当者のスマートフォン、等の端末に警報、通報を行うことで、当該冷凍・冷蔵機器担当者からデリバディ作業を行っている者に警告、通報を行い、警告、通報を受けたデリバディ作業者が、直ちに、冷凍・冷蔵機器（冷蔵庫、冷凍庫）の場所に戻って、ドアの完全な閉鎖を行うことで、店舗の営業時間外で、店舗の人員がいないときに、長時間にわたって、ドアの半開、等の状態が継続することを未然に防止できる。
【０１２４】
また、警報対応補正手段１０は、監視時間情報管理手段８によって把握・管理されている、監視装置１が冷凍・冷蔵機器を監視している時間と、解除情報対応手段９が取得した警報状態解除指示に基づいて監視装置１による監視状態をリセットして最初から監視状態を開始する情報とに基づいて、前記警報状態解除指示に係る警報対応を行うためにあらかじめ定められている前記所定の時間を、あらかじめ定められている前記所定の時間の長さよりも長い時間に補正する処理を行う。
【０１２５】
これによれば、デリバディ作業における商品の搬出入で、ドア開放時間が長くなるような場合に、作業員などがいちいち警報状態解除指示を監視装置１に送って監視装置１による監視状態をリセットし、監視状態が最初から開始されるようにする、等が不要になる。
【０１２６】
警報対応補正手段１０が存在していることで、コンピュータからなる監視装置１が、あたかも学習を行って、監視する際の所定の時間、所定の温度上昇、温度降下の幅などを調整できるものである。
【０１２７】
図１０、図１１、図１２は、この発明の冷蔵庫・冷凍庫監視・警報システムによる冷蔵・冷凍庫の扉開放状態監視の一例を説明するものである。
【０１２８】
冷蔵庫、冷凍庫などの冷凍・冷蔵機器内部に商品を搬出入、等する作業員などが、作業終了時などに、冷凍・冷蔵機器のドアを閉める動作を行い、「ドアを閉めた」と認識しているにもかかわらず、いわゆる半ドアのような半開状態であったり、ドアの密閉が完全でなく隙間が空いている、等のときに適切に対応するシステムである。
【０１２９】
作業員などが「ドアを閉めた」と認識しているにもかかわらず、いわゆる半ドアのような半開状態であったり、ドアの密閉が完全でなく隙間があいている、等の状態には、例えば、ドアとドア開口部との間の密閉を図る目的でこれらの部分に配備されているパッキンが劣化している等によって、冷凍・冷蔵機器内部から、冷気が、当該隙間を介して漏れ出てしまうような状態も含まれる。
【０１３０】
本発明の冷蔵庫・冷凍庫デジタル監視・警報システムでは、このようなときに、冷凍・冷蔵機器の内部から冷気が少しずつ漏れだし、庫内の温度が徐々に上昇すると、これを検知手段により検知し、外部のセキュリティ会社、等に自動的に緊急時対応、派遣要請が通知され、そのような費用が発生してしまう警報温度に達する前に、冷凍・冷蔵機器の周辺で作業を行っている者、冷凍・冷蔵機器が設置されている店舗の管理部門、等に設置されているパーソナルコンピュータ（ＰＣ）などのコンピュータからなる店舗管理システム、当該店舗において冷凍・冷蔵機器を取り扱う担当になっている担当者が所持しているスマートフォン、等の担当者端末に通知する。
【０１３１】
本発明の冷凍庫監視・警報システムでは、一日におけるどのような時間帯に警報発報すべき事態になるかを、冷凍庫監視・警報システムの監視装置１が監視している。
【０１３２】
冷凍・冷蔵機器（冷蔵庫、冷凍庫）が設置されている店舗が営業時間でない深夜、早朝などに行われることが多いデリバディ時の搬出入作業と、店舗が営業されている時間帯において行われる商品の搬出入作業とでは、冷凍・冷蔵機器（冷蔵庫、冷凍庫）のドアを開放して作業を行う時間の長さがそれぞれ異なる。
【０１３３】
本発明の冷凍庫監視・警報システムでは、一日におけるどのような時間帯に警報発報すべき事態になるかを、冷凍庫監視・警報システムの監視装置１が監視していることで蓄積したデジタル情報に基づき、各作業工程に応じた適切なドア開放時間を考慮した上で警報発報を行うことが可能になる。
【０１３４】
例えば、冷凍・冷蔵機器（冷蔵庫、冷凍庫）が設置されている店舗が営業時間でない深夜、早朝などに行われることが多いデリバディ時の搬出入作業が終了したときに、半開、等、冷気が漏れ出していく事態を把握できたならば、冷凍庫監視・警報システムは、店舗の管理者、冷凍・冷蔵機器取り扱い担当者への警告、通報を行うのではなく、デリバディ作業を行っている者が所持しているスマートフォン、等の端末に警告、通報を行うようにすることができる。警告、通報を受けたデリバディ作業者は、直ちに、冷凍・冷蔵機器（冷蔵庫、冷凍庫）の場所に戻って、ドアの完全な閉鎖を行うことができる。
【０１３５】
また、このような時間帯であれば、契約している外部のセキュリティ会社、等に冷凍庫監視・警報システムから警告、通報し、セキュリティ会社がデリバディを行っている会社にその旨の警報、通報を行うことで、セキュリティ会社からデリバディ作業を行っている者に警告、通報し、警告、通報を受けたデリバディ作業者が、直ちに、冷凍・冷蔵機器（冷蔵庫、冷凍庫）の場所に戻って、ドアの完全な閉鎖を行うことで、店舗の営業時間外で、店舗の人員がいないときに、長時間にわたって、ドアの半開、等の状態が継続することを未然に防止できる。
【０１３６】
あるいは、店舗営業時間外であるため出勤していない冷凍・冷蔵機器担当者のスマートフォン、等の端末に警報、通報を行うことで、当該冷凍・冷蔵機器担当者からデリバディ作業を行っている者に警告、通報を行い、警告、通報を受けたデリバディ作業者が、直ちに、冷凍・冷蔵機器（冷蔵庫、冷凍庫）の場所に戻って、ドアの完全な閉鎖を行うことで、店舗の営業時間外で、店舗の人員がいないときに、長時間にわたって、ドアの半開、等の状態が継続することを未然に防止できる。
【０１３７】
本発明の冷蔵庫・冷凍庫監視・警報システムによれば、複数の冷凍・冷蔵機器それぞれの庫内の温度状態、扉開閉状態の検知、演算により異常状態を検知判定し、店舗管理者及び搬入業者担当を含め異常情報をランプ・ブザー及びメールなどで自動通知することができる。例えば、次のような監視、警報が実施される。
【０１３８】
＜通常作業時間超過警報＞
冷凍・冷蔵機器の種別、等ごとの通常作業時間と扉開放の経過時間を演算し、通常作業時間を超過して扉が開放状態にて「扉開放警報」を警報灯・ブザー、メールにて通報する。
【０１３９】
冷蔵庫、冷凍庫などの冷凍・冷蔵機器は、図１２に例示しているように、青果、精肉、鮮魚、冷凍食品、等、いかなる商品を収容する冷凍・冷蔵機器であるかに応じて、各冷凍・冷蔵機器ごとに設定される庫内温度が相違している。また、冷凍・冷蔵機器内に出し入れする商品の特性に応じて、商品の出し入れ等に要する時間も相違する。
【０１４０】
そこで、コンピュータの構成からなる監視装置１のデータベース１０に、監視している各冷凍・冷蔵機器ごとに、許容され得る作業時間の長さをデータとして格納しておく。各冷凍・冷蔵機器２０、２１のドア部２２、２３に配備されているドア開閉状態検知手段２５から取得したドア部２２、２３開放時点からの扉開放の経過時間が時間計測手段２で計測され、監視装置１が備えている警報対応手段の処理によって、各冷凍・冷蔵機器２０、２１ごとに許容されている作業時間の長さにまで連続してドア部２２、２３が開放されていたならば、当該ドア開放が継続している冷凍・冷蔵機器２０、２１に配備されている警告ランプ２９を黄色に点灯させ、同じく、当該冷凍・冷蔵機器２０、２１に配備されている警報ブザー３０からの発報を行わせる。
【０１４１】
これにより、当該冷凍・冷蔵機器２０、２１で商品出し入れ、等の作業を行っている作業員は、通常の作業時より作業時間が長くなっており、当該冷凍・冷蔵機器２０、２１の商品の品質、等に悪影響が生じる可能性を未然に防止すべく、一時的に作業を中断して、ドア部２２、２３を閉鎖し、所定時間経過してから、ドア部２２、２３を開放して作業を再開する対応を行うことが可能になる。
【０１４２】
＜店舗閉店前、扉開放警報＞
店舗閉店前の設定時間、例えば、閉店３０分前の時間帯にもかかわらず、冷蔵冷凍庫の扉が開放状態を検知し「扉開放警報」を警報灯・ブザー、メールにて通報する。
【０１４３】
コンピュータの構成からなる監視装置１が備えている警報対応手段が、複数の冷凍・冷蔵機器２０、２１が配備、使用されている店舗のあらかじめ設定されている閉店時間の前における所定の時間内（例えば、閉店時間前３０分以内の時間）において、ドア開閉状態検知手段２４、２５から取得したドア部が開放されていることを伝える情報が解除されていない場合に、警報情報を発する機能を、更に、備えている冷蔵庫・冷凍庫デジタル監視・警報システムである。
【０１４４】
監視装置１が監視している複数の冷凍・冷蔵機器２０、２１が設置、使用されている店舗の日々の営業時間（営業開始時間、営業終了時間＝店舗閉店時間）のデータをシステムの設定の際にコンピュータの構成からなる監視装置１のデータベース１０に格納しておく。
【０１４５】
監視装置１が備えている警報対応手段は、監視時間情報管理手段８で管理している監視時間と、各冷凍・冷蔵機器２０、２１のドア部２２、２３に配備されているドア開閉状態検知手段２５から取得したドア部２２、２３開放の情報と、データベース１０に格納されている冷凍・冷蔵機器２０、２１が配備、使用されている店舗の日々の営業時間との関係から、閉店３０分前の時間帯にもかかわらず、ドア開閉状態検知手段２４、２５から取得したドア部が開放されていることを伝える情報が解除されていない場合、警報情報を発する。
【０１４６】
この発せられる警報情報の形態としては、前記ドアが開放している冷凍・冷蔵機器２０、２１に配備されている警告ランプ２９を黄色に点灯させ、当該冷凍・冷蔵機器２０、２１に配備されている警報ブザー３０からの発報を行わせると共に、当該冷凍・冷蔵機器２０、２１の担当者が所有している端末１２ａ、１２ｂ、１２ｃに対してメール、等で警報を発し、更には、店舗の管理部に配備されている端末１１へもメール、等で警報を発する形態にすることができる。
【０１４７】
監視装置１が、ドア部が開放されていることを伝える情報をドア開閉状態検知手段２４、２５から取得した後、上述した第一〜第四の警戒対応によって当該情報が解除されているならば、ドア部は確実に閉鎖されている。しかし、複数の冷凍・冷蔵機器２０、２１が配備、使用されている店舗のあらかじめ設定されている閉店時間の前における所定の時間内（例えば、閉店時間前３０分以内の時間）であるにもかかわらず、ドア開閉状態検知手段２４、２５から取得したドア部が開放されていることを伝える情報が解除されていないならば、例えば、閉店時間前３０分以内の時間において、ドア部が開いている、あるいは、半開放になっている状態の冷凍・冷蔵機器２０、２１が存在することになる。
【０１４８】
上述したシステム構成にすることで、冷凍・冷蔵機器２０、２１のドア部２２、２３が開放状態あるいは、半開放状態にあるままで、店舗に対応できる担当者、等が不在になる店舗閉店の時間帯に入るおそれを未然に防止することができる。
【０１４９】
＜デリバディ搬入作業終了後扉開放警報＞
デリバディ営業時間内と営業時間外の商品納入、冷蔵・冷凍庫に商品搬入後の扉の閉め忘れ又は扉が半開きの状態の場合、扉の半開き信号をリアルタイムに検知し「扉開放警報」を警報灯、ブザー及びメールにて店舗担当及びデリバディ担当に知らせ、デリバディ担当が店舗外に移動する前に処置対応させることができる。
【０１５０】
監視装置１が監視している複数の冷凍・冷蔵機器２０、２１のそれぞれに、冷凍・冷蔵機器２０、２１それぞれのドア部２２、２３を開けて作業を行う作業員が所持している作業員端末（例えば、スマートフォン）との間で情報交信を行って、前記作業員端末が冷凍・冷蔵機器２０、２１それぞれから所定の範囲内に存在しているか否かを把握し、端作業員端末の位置が前記所定の範囲の外側になったことを知らせる作業員位置情報を、前記作業員端末を識別する情報と共に、監視装置１へ無線あるいは、有線で送出する作業員端末認識手段が配備されていて、監視装置１は、前記作業員端末認識手段から送出されてきた前記作業員位置情報を取得した際に、ドア開閉状態検知手段２４、２５から取得したドア部が開放されていることを伝える情報が解除されていない場合に、警報情報を発する機能を、更に、備えている冷蔵庫・冷凍庫デジタル監視・警報システムである。
【０１５１】
店舗に配備されている複数の冷凍・冷蔵機器２０、２１には、それぞれに収容される商品に応じて配送（デリバディ）を担当する会社が異なっていることがある。
【０１５２】
コンピュータの構成からなる監視装置１のデータベース１０に、監視している複数の冷凍・冷蔵機器２０、２１のそれぞれ対して配送（デリバディ）を行う各会社に関する情報（当該デリバディ会社へメール、等で警報等を送るために必要な情報を含む）及び、当該デリバディ会社のデリバディ担当者が所有しているスマートフォン、等の端末に関する情報（当該の各端末に対してメール、等で警報等を送るために必要な情報を含む）及び、当該端末を識別する情報などを記憶、格納しておく。
【０１５３】
監視している複数の冷凍・冷蔵機器２０、２１のそれぞれには、デリバディを行っている各作業員が所持しているスマートフォン、等の端末との間で無線により情報交信を行って、当該端末の識別情報を取得するとともに、所定距離のエリア内に当該端末が位置していることを認識できる、コンピュータの構成からなる作業員端末認識手段を配備しておく。
【０１５４】
各冷凍・冷蔵機器２０、２１に配備されている作業員端末認識手段は、デリバディを行う作業員が所持している端末との間の情報交信により、作業員が冷凍・冷蔵機器２０、２１のドア部２２、２３近辺に居るかどうかを把握し、作業員位置情報を、当該作業員が所持している端末を識別する情報と共に、監視装置１へ無線あるいは、有線で情報送出する。
【０１５５】
コンピュータの構成からなる監視装置１が備えている通信インターフェースが前記作業員端末認識手段から送出されてきた作業員位置情報及び、当該作業員が所持している端末を識別する情報を取得する。
【０１５６】
監視装置１が備えている警報対応手段は、各冷凍・冷蔵機器２０、２１のドア部２２、２３に配備されているドア開閉状態検知手段２５から取得したドア部２２、２３開放の情報と、各冷凍・冷蔵機器２０、２１に配備されている作業員端末認識手段から取得した、作業員が冷凍・冷蔵機器２０、２１のドア部２２、２３近辺に居るかどうかを把握する情報（すなわち、作業員位置情報）とに基づき、ドア部２２、２３が開放状態にあるにもかかわらず、作業員が冷凍・冷蔵機器２０、２１のドア部２２、２３近辺（すなわち、冷蔵機器２０、２１それぞれからの所定の範囲内）から離れたときには、当該作業員がドアを開放している状態で立ち去ろうとしている冷凍・冷蔵機器２０、２１に配備されている警告ランプ２９を黄色に点灯させ、当該冷凍・冷蔵機器２０、２１に配備されている警報ブザー３０からの発報を行わせると共に、当該作業員が所持している端末に対してメール、等で警報を発する。
【０１５７】
監視装置１が、ドア部が開放されていることを伝える情報をドア開閉状態検知手段２４、２５から取得した後、上述した第一〜第四の警戒対応によって当該情報が解除されているならば、ドア部は確実に閉鎖されている。しかし、監視装置１が前記作業員位置情報を取得した際に、ドア開閉状態検知手段２４、２５から取得したドア部が開放されていることを伝える情報が解除されていないならば、冷凍・冷蔵機器２０、２１それぞれのドア部２２、２３を開けて作業を行っていた作業員が、冷凍・冷蔵機器２０、２１のドア部２２、２３近辺（すなわち、冷蔵機器２０、２１それぞれからの所定の範囲内）から離れる時点で、ドア部が開いている、あるいは、半開放になっている状態の冷凍・冷蔵機器２０、２１が存在することになる。
【０１５８】
上述したシステム構成になっていることで、デリバディ作業を行っていた作業員が、ドアを閉めたつもりで、半開放のまま冷凍・冷蔵機器２０、２１から立ち去り、店舗の外に出てしまう前に、半開放のままの冷凍・冷蔵機器２０、２１まで戻って、確実なドア閉鎖を行うことが可能になる。
【０１５９】
デリバディ作業は、店舗が回転していない深夜、等の時間帯に行われることがある、このような時間帯にデリバディ作業が行われていて、店舗の人員が対応できない場合であっても、このようにシステム構成されていることで、デリバディ作業を行っていた作業員が、ドアを閉めたつもりで、半開放のまま冷凍・冷蔵機器２０、２１から立ち去り、店舗の外に出てしまう前に、半開放のままの冷凍・冷蔵機器２０、２１まで戻って、確実なドア閉鎖を行うことが可能になる。
【０１６０】
＜店舗セキュリティセット後、扉開放警報＞
店舗閉店後最終退出者によるセキュリテーセット時に冷蔵・冷凍庫の扉が少しでも開いている場合「扉開放警報」を警報灯・ブザー、メールにて通報し、店舗閉店後最終退出者が店舗外に移動する前に処置対応させることができる。
【０１６１】
コンピュータの構成からなる監視装置１が、監視対象になっている複数の冷凍・冷蔵機器２０、２１が配備、使用されている店舗が閉店後で無人になる際に当該店舗の警備を実行するセキュリティシステムが作動開始すべくセキュリティセットされたことを知らせるセキュリティセット情報を取得するセキュリティセット情報取得部を更に備えていて、監視装置１が備えている警報対応手段が、前記セキュリティセット情報を取得した際に、ドア開閉状態検知手段２４、２５から取得したドア部が開放されていることを伝える情報が解除されていない場合に、警報情報を発する機能を、更に、備えている冷蔵庫・冷凍庫デジタル監視・警報システムである。
【０１６２】
コンピュータの構成からなる監視装置１が備えている通信インターフェースが前記セキュリティセット情報取得部の機能を果たすことになる。監視装置１が、ドア部が開放されていることを伝える情報をドア開閉状態検知手段２４、２５から取得した後、上述した第一〜第四の警戒対応によって当該情報が解除されているならば、ドア部は確実に閉鎖されている。しかし、監視装置１がセキュリティセット情報を取得した際に、ドア開閉状態検知手段２４、２５から取得したドア部が開放されていることを伝える情報が解除されていないならば、店舗が閉店後で無人になる時点で、ドア部が開いている、あるいは、半開放になっている状態の冷凍・冷蔵機器２０、２１が存在することになる。
【０１６３】
そこで、セキュリティセットの際に、ドア部が開いている、あるいは、半開放になっている状態の冷凍・冷蔵機器２０、２１が存在するならば、対応可能な店舗の人員（すなわち、セキュリティシステムを作動開始させるべくセキュリティセットを行った店舗の人間）が店舗内に居る間に、ドア部の確実な閉鎖が行われるようにしたものである。
【０１６４】
監視装置１による監視が行われている複数の冷凍・冷蔵機器２０、２１が設置、使用されている店舗で、店舗閉店時にセキュリテーセットが行われると、その旨の情報が、同時に、有線あるいは、無線のネットワークを介して監視装置１に送出される。
【０１６５】
セキュリテーセットが行われたとの情報を取得した監視装置１に配備されている警報対応手段は、各冷凍・冷蔵機器２０、２１のドア部２２、２３に配備されているドア開閉状態検知手段２５から取得しているドア部２２、２３開放の情報を参照して、セキュリテーセットが行われた時点で、ドア部２２、２３が開放状態にある冷凍・冷蔵機器２０、２１が存在していないかどうかを判断する。
【０１６６】
そして、セキュリテーセットが行われた時点で、ドア部２２、２３が開放状態にある冷凍・冷蔵機器２０、２１が存在している場合には、警報情報を発する。
【０１６７】
前記の警報情報を発する形態としては、例えば、前記のセキュリテーセットが実施される部門、箇所に、警告ランプ、警報ブザーを配備しておき、この警告ランプを点滅させ、また、警報ブザーからの発報を行わせる形態にすることができる。
【０１６８】
また、前記の警報情報を発する形態として、監視装置１による監視が行われている複数の冷凍・冷蔵機器２０、２１が設置、使用されている店舗において、店舗閉店後最終の退出者になってセキュリテーセットを行う者、例えば、店舗管理担当者、等が所持しているスマートフォン、等の端末に、上述したドア部が開いている、あるいは、半開放になっている冷凍・冷蔵機器２０、２１を特定する情報を付帯させて、メール、等で警報等を送る形態にすることもできる。。
【０１６９】
なお、この場合には、システムの設定の際に、監視装置１による監視が行われている複数の冷凍・冷蔵機器２０、２１が設置、使用されている店舗において、店舗閉店後最終の退出者になってセキュリテーセットを行う者、例えば、店舗管理担当者、等が所持しているスマートフォン、等の端末に関する情報（当該の各端末に対してメール、等で警報等を送るために必要な情報を含む）を、コンピュータの構成からなる監視装置１のデータベース１０に記憶、格納しておく。
【０１７０】
これによって、店舗閉店後最終退出者が店舗の外に出てしまう前に、半開放のままの冷凍・冷蔵機器２０、２１に駆けつけて確実なドア閉鎖を行うことが可能になる。
【０１７１】
なお、この際、開放あるいは、半開放の状態にある冷凍・冷蔵機器２０、２１に配備されている警告ランプ２９を黄色に点灯させ、当該冷凍・冷蔵機器２０、２１に配備されている警報ブザー３０からの発報を行わせることもできる。
【０１７２】
＜温度異常警報＞
冷蔵・冷凍庫種別毎の警報設定温度と現状の庫内温度を比較し警報設定温度を超過したことを検知し、「庫内温度異常警報」を警報灯・ブザー、メールにて通報する
冷蔵庫、冷凍庫などの冷凍・冷蔵機器は、図１２に例示しているように、青果、精肉、鮮魚、冷凍食品、等、いかなる商品を収容する冷凍・冷蔵機器であるかに応じて、各冷凍・冷蔵機器ごとに設定される庫内温度が相違している。
【０１７３】
そこで、コンピュータの構成からなる監視装置１のデータベース１０に、監視している各冷凍・冷蔵機器ごとに、許容され得る庫内温度をデータとして格納しておく。
【０１７４】
監視装置１に配備されている警報対応手段は、庫内温度計測手段２７、２８から取得した個々の冷凍・冷蔵機器２０、２１の庫内温度をデータベース１０格納されている各冷凍・冷蔵機器２０、２１ごとに設定されている許容庫内温度と比較し、許容庫内温度に達したならば、当該許容庫内温度に達した冷凍・冷蔵機器２０、２１を担当している者が所有している端末１２ａ、１２ｂ、１２ｃに対してメール、等で警報を発し、店舗の管理部に配備されている端末１１へもメール、等で警報を発する。また、当該許容庫内温度に達した冷凍・冷蔵機器２０、２１に配備されている警告ランプ２９を黄色に点灯させ、当該冷凍・冷蔵機器２０、２１に配備されている警報ブザー３０からの発報を行わせる。
【０１７５】
以上、本発明の実施形態を説明したが、本発明は上述した実施形態に限られることなく、特許請求の範囲の記載から把握される技術的範囲において種々に変更可能である。
【産業上の利用可能性】
【０１７６】
本発明の冷蔵庫・冷凍庫デジタル監視・警報システムは、種々の冷凍・冷蔵機器（冷蔵庫、冷凍庫）に対して適用が可能である。
【０１７７】
例えば、ショッピングセンター、等の店舗における冷凍・冷蔵機器（冷蔵庫、冷凍庫）の監視にとどまらず、いわゆる冷蔵団地、冷凍団地、等の監視、警報システムとしても採用可能である。
【０１７８】
本発明の冷蔵庫・冷凍庫デジタル監視・警報システムが採用されることで、緊急出動・派遣費用、等が発生する外部のセキュリティ会社、等に、緊急対応・出動を、自動的に、要請する回数を減少させることができ、店舗運営、等における経費の削減を図ることが可能になる。
【図１】
2020125897.tif 000003
【図２】
2020125897.tif 000004
【図３】
2020125897.tif 000005
【図４】
2020125897.tif 000006
【図５】
2020125897.tif 000007
【図６】
2020125897.tif 000008
【図７】
2020125897.tif 000009
【図８】
2020125897.tif 000010
【図９】
2020125897.tif 000011
【図１０】
2020125897.tif 000012
【図１１】
2020125897.tif 000013
【図１２】
2020125897.tif 000014
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
監視対象の複数の冷凍・冷蔵機器それぞれのドア部に配備されていて、前記ドア部が開放されている状態あるいは前記ドア部が閉鎖されている状態にあることを検知する複数のドア開閉状態検知手段と、
複数の前記冷凍・冷蔵機器の内部にそれぞれ配備されていて複数の前記冷凍・冷蔵機器の内部の温度をそれぞれ検知している複数の庫内温度計測手段と、
複数の前記ドア開閉状態検知手段の中の特定の一つの前記ドア開閉状態検知手段から取得した情報及び、複数の前記庫内温度計測手段の中の特定の一つの前記庫内温度計測手段から取得した庫内温度情報に基づいて、前記特定の一つの前記ドア開閉状態検知手段及び前記特定の一つの前記庫内温度計測手段が配備されている前記冷凍・冷蔵機器を監視することで、複数の前記冷凍・冷蔵機器を監視する監視装置と
を備えている冷蔵庫・冷凍庫デジタル監視・警報システムであって、
前記監視装置は、
前記ドア部が閉鎖されている状態から開放された状態になったことを知らせるドア開放情報を前記ドア開閉状態検知手段から取得した時点からの開状態経過時間を計測するとともに、前記ドア部が開放されている状態から閉鎖された状態になったことを知らせるドア閉鎖情報を前記ドア開閉状態検知手段から取得した時点からの閉状態経過時間を計測する時間計測手段と、
前記庫内温度計測手段から取得した庫内温度情報に基づいて前記冷凍・冷蔵機器の内部温度を監視する庫内温度監視手段と、
警報対応手段とを備えており、
前記警報対応手段には、
前記時間計測手段によって計測されている前記開状態経過時間が、前記ドア開放情報を通知してきた特定の一つの前記ドア開閉状態検知手段が配備されている前記冷凍・冷蔵機器に対してあらかじめ定められている所定の時間に到達した際に、前記冷凍・冷蔵機器に対してあらかじめ設定されている対応マニュアルに従って指定されている第一の警報対応を行う第一の警報対応手段と、
前記庫内温度監視手段が監視している、前記ドア開放情報を取得した時点以降の前記ドア開放情報を通知してきた特定の一つの前記ドア開閉状態検知手段が配備されている前記冷凍・冷蔵機器の内部温度の上昇が、前記ドア開放情報を取得した後であって次の前記ドア閉鎖情報を取得する前に、前記ドア開放情報を通知してきた特定の一つの前記ドア開閉状態検知手段が配備されている前記冷凍・冷蔵機器に対してあらかじめ定められている所定の温度までの上昇であるときに、前記冷凍・冷蔵機器に対してあらかじめ設定されている対応マニュアルに従って指定されている第二の警報対応を行う第二の警報対応手段と、
前記庫内温度監視手段が監視している、前記ドア閉鎖情報を取得した時点以降の前記ドア閉鎖情報を通知してきた特定の一つの前記ドア開閉状態検知手段が配備されている前記冷凍・冷蔵機器の内部温度が、前記ドア閉鎖情報を通知してきた特定の一つの前記ドア開閉状態検知手段が配備されている前記冷凍・冷蔵機器に対してあらかじめ設定されている所定の時間を経過しても、前記ドア閉鎖情報を通知してきた特定の一つの前記ドア開閉状態検知手段が配備されている前記冷凍・冷蔵機器に対してあらかじめ設定されている所定の内部温度に到達しないときに、前記ドア閉鎖情報を通知してきた特定の一つの前記ドア開閉状態検知手段が配備されている前記冷凍・冷蔵機器に対してあらかじめ設定されている対応マニュアルに従って指定されている第三の警報対応を行う第三の警報対応手段と、
前記庫内温度監視手段が監視している、前記ドア閉鎖情報を取得した時点以降の前記ドア閉鎖情報を通知してきた特定の一つの前記ドア開閉状態検知手段が配備されている前記冷凍・冷蔵機器の内部温度が、次の前記ドア開放情報を取得する前であって、前記ドア閉鎖情報を通知してきた特定の一つの前記ドア開閉状態検知手段が配備されている前記冷凍・冷蔵機器に対してあらかじめ設定されている所定の時間を経過した後、前記冷凍・冷蔵機器に対してあらかじめ設定されている所定の内部温度にまで到達したときに、前記ドア閉鎖情報を通知してきた特定の一つの前記ドア開閉状態検知手段が配備されている前記冷凍・冷蔵機器に対してあらかじめ設定されている対応マニュアルに従って指定されている第四の警報対応を行う第四の警報対応手段と
が含まれていて、
前記第一の警報対応手段による第一の警報対応は、冷蔵庫警告ランプの点灯及び冷蔵庫警報ブザーの発報が第一段階として行われ、当該第一段階後に開状態が引き続き所定の時間継続したときに冷蔵庫警告ランプの点灯及び冷蔵庫警報ブザーの発報及び、店舗管理部及び前記冷凍・冷蔵機器取り扱い担当者への情報提供が第二段階として行われ、当該第二段階後に開状態が引き続き所定の時間継続したときに冷蔵庫警告ランプの点灯及び冷蔵庫警報ブザーの発報及び、店舗管理部及び前記冷凍・冷蔵機器取り扱い担当者への情報提供と、セキュリティ会社への情報提供が第三段階として行われる
冷蔵庫・冷凍庫デジタル監視・警報システム。
【請求項２】
前記警報対応手段は、前記複数の冷凍・冷蔵機器が配備、使用されている店舗のあらかじめ設定されている閉店時間の前における所定の時間内において、前記ドア開閉状態検知手段から取得したドア部が開放されていることを伝える情報が解除されていない場合に、警報情報を発する機能を、更に、備えている
請求項１記載の冷蔵庫・冷凍庫デジタル監視・警報システム。
【請求項３】
前記監視装置は、複数の前記冷凍・冷蔵機器が配備、使用されている店舗が閉店後で無人になる際に当該店舗の警備を実行するセキュリティシステムが作動開始すべくセキュリティセットされたことを知らせるセキュリティセット情報を取得するセキュリティセット情報取得部を更に備えており、
前記警報対応手段は、前記セキュリティセット情報を取得した際に、前記ドア開閉状態検知手段から取得したドア部が開放されていることを伝える情報が解除されていない場合に、警報情報を発する機能を、更に、備えている
請求項１又は２記載の冷蔵庫・冷凍庫デジタル監視・警報システム。
【請求項４】
前記監視装置が監視している複数の前記冷凍・冷蔵機器のそれぞれには、前記冷凍・冷蔵機器それぞれの前記ドア部を開けて作業を行う作業員が所持している作業員端末との間で情報交信を行って、前記作業員端末が前記冷凍・冷蔵機器それぞれから所定の範囲内に存在しているか否かを把握し、前記端作業員端末の位置が前記所定の範囲の外側になったことを知らせる作業員位置情報を、前記作業員端末を識別する情報と共に、前記監視装置へ無線あるいは、有線で送出する作業員端末認識手段が配備されており、
前記監視装置は、前記作業員端末認識手段から送出されてきた前記作業員位置情報を取得した際に、前記ドア開閉状態検知手段から取得したドア部が開放されていることを伝える情報が解除されていない場合に、警報情報を発する機能を、更に、備えている
請求項１乃至３のいずれか一項に記載の冷蔵庫・冷凍庫デジタル監視・警報システム。